(57)【要約】      （修正有）【課題】３段階回転バランスヘッドホンケーブルを提供する。【解決手段】３段階回転バランスヘッドホンケーブルは、オスプラグ１と、メスプラグ２と、止め輪１４と、ヘッドホンケーブルと、を備える。オスプラグ１には挿入部、第一円形溝、凹面、４つの接触部４１、絶縁層、弧状凸面、及び第二円形溝１５が設けられる。オスプラグ１の挿入部はメスプラグ２内で３段階に分けて回転を行い、オスプラグ１が１段階回転する毎にヘッドホンケーブルに接続されるイヤホンに音響効果が流れる。オスプラグ１が３段階それぞれ回転する際に、イヤホンには３種類の異なる音響効果がそれぞれ流れ、これは音声信号伝送速度が速く、音質がクリアであるという長所を有する。【選択図】図１
2020031417.tif 000002
【特許請求の範囲】
【請求項１】
オスプラグ、及び前記オスプラグに連結されるように装設されるメスプラグを備え、前記メスプラグに挿入される前記オスプラグの部分は挿入部として設けられ、前記挿入部の一側には第一円形溝が内向きに凹設され、前記メスプラグの一端は前記第一円形溝内に装入され、前記オスプラグは前記第一円形溝により前記メスプラグの端部で円周回転運動を行い、前記挿入部の外周部には断面が弧形構造を有する３つの凹面が等間隔で均等に設けられ、そのうちの１つの前記凹面の表面には４つの接触部が等間隔で均一に配列するように設けられ、他の２つの前記凹面の表面には絶縁層がそれぞれ設けられ、隣接する２つの前記凹面の間には弧状凸面が接続され、前記メスプラグは３つの端子台の端部が接続されて組み合わせられることにより形成され、各前記端子台の左右両側には端子挿入用スロットがそれぞれ設けられ、３つの前記端子台の内側には１組のバネ式端子がそれぞれ装設され、各１組の前記バネ式端子の数量は複数であり、隣接する２つの前記バネ式端子の間には丸形ガスケットが設けられ、各前記丸形ガスケットは前記メスプラグの外周部に装設され、３組の前記バネ式端子には共にヘッドホンケーブルが溶接され、前記ヘッドホンケーブルには少なくとも４本の導体信号コードが内設されることを特徴とする３段階回転バランスヘッドホンケーブル。
【請求項２】
各１組の前記バネ式端子は少なくとも4個設けられ、各前記バネ式端子の左右両端は各前記端子台の左右両側の前記端子挿入用スロット内にそれぞれ装入され、各前記導体信号コード内には金属材質の少なくとも３本の導線が被覆され、４本の前記導体信号コードは計１２本の前記導線を有し、前記１２本の前記導線の一端は前記メスプラグの外表面にある１２個の前記バネ式端子にそれぞれランダムに接続され、１２本の前記導線の他端にはイヤホンが接続されることを特徴とする請求項１に記載の３段階回転バランスヘッドホンケーブル。
【請求項３】
３つの前記端子台は円形に配列され、前記端子挿入用スロットは6個設けられ、6個の前記端子挿入用スロットは直線面から見ると正三角形を呈するように設けられることを特徴とする請求項１に記載の３段階回転バランスヘッドホンケーブル。
【請求項４】
各前記端子台の内側の中央部には挿設回転用溝部が外向きに凹設されることを特徴とする請求項１に記載の３段階回転バランスヘッドホンケーブル。
【請求項５】
隣接する２本の前記導体信号コード内の３本の前記導線は同じ材質または異なる材質で設けられ、各前記導体信号コード内の隣接する２本の導線は同じ材質または異なる材質で設けられることを特徴とする請求項２に記載の３段階回転バランスヘッドホンケーブル。
【請求項６】
前記メスプラグの後側の中央部には止め輪が設けられ、前記挿入部の端部の外周部には前記止め輪を装設させると共に前記オスプラグの回転運動中に前記メスプラグから脱離するのを防止するための第二円形溝が内向きに凹設されることを特徴とする請求項１に記載の３段階回転バランスヘッドホンケーブル。
【請求項７】
前記止め輪はＣ字形に設けられることを特徴とする請求項６に記載の３段階回転バランスヘッドホンケーブル。
【請求項８】
前記オスプラグの前記挿入部は前記メスプラグ内で時計回りに３６０度回転及び反時計回りに３６０度回転することを特徴とする請求項１に記載の３段階回転バランスヘッドホンケーブル。
【請求項９】
前記オスプラグの前記挿入部は３段階に分けて回転する方式で前記メスプラグ内で１周回転し、前記オスプラグの前記挿入部の各段階の回転角度は１２０度であることを特徴とする請求項１に記載の３段階回転バランスヘッドホンケーブル。
【請求項１０】
各前記バネ式端子の正面には２つの突起部が左右対称に設けられ、各前記バネ式端子の背面には弧形構造が設けられることを特徴とする請求項１に記載の３段階回転バランスヘッドホンケーブル。
【発明の詳細な説明】
【技術分野】
【０００１】
本発明は、３段階回転バランスヘッドホンケーブルに関する。
【背景技術】
【０００２】
従来のイヤホンコードのオスプラグ及びメスプラグの構造は、一体化されて接続される設計となっている。
【発明の概要】
【発明が解決しようとする課題】
【０００３】
しかしながら、前述した従来技術では、このような構造設計のイヤホンコードのオスプラグはメスプラグ内で正逆方向に３６０度回転させることができず、且つこのような構造のオスプラグ及びイヤホンコードは接続されるイヤホンに対して１種類の音響効果しか流せないため、用途が限られてしまう。また、従来のイヤホンコードのオスプラグとメスプラグとの間で行われる信号の伝送には銀メッキ銅線が導線として採用されるが、このような構造のイヤホンコードは音声信号の伝送速度が遅く、音質がクリアではなく、音質効果が低い等の欠点があった。
【０００４】
そこで、本発明者は上記の欠点は改良可能と考え、鋭意検討を重ねた結果、合理的設計で上記の課題を効果的に改良する本発明の提案に至った。
【０００５】
本発明は、このような従来の問題に鑑みてなされたものである。上記課題解決のため、本発明は、３段階回転バランスヘッドホンケーブルを提供することを主目的とする。
【０００６】
オスプラグの挿入部はメスプラグ内で３段階に分けて回転を行い、オスプラグが１段階回転する毎にヘッドホンケーブルに接続されるイヤホンには音響効果が流れる。オスプラグが３段階それぞれ回転する際に、イヤホンには３種類の異なる音響効果がそれぞれ流れる。これは従来の構造のイヤホンコードではイヤホンに対して１種類の音響効果しか流せないという限界を突破する。本構造が接続されるイヤホンは音声信号の伝送速度が速く、音質がクリアで音質効果が高いという長所を有し、従来のイヤホンコードのオスプラグとメスプラグとが一体成形される構造設計では用途が限られ、オスプラグが回転不可能であり、音声信号の伝送速度が遅く、音質が低く、１種類の音響効果しか流せない等の不十分な問題を解決する。
【課題を解決するための手段】
【０００７】
上記課題を解決するために、本発明の一態様の３段階回転バランスヘッドホンケーブルは、オスプラグ、及び前記オスプラグに連結されるように装設されるメスプラグを備える。前記メスプラグに挿入される前記オスプラグの部分は挿入部として設けられ、前記挿入部の一側には第一円形溝が内向きに凹設される。前記メスプラグの一端は前記第一円形溝内に装入され、前記オスプラグは前記第一円形溝により前記メスプラグの端部で円周回転運動を行う。前記挿入部の外周部には断面が弧形構造を有する３つの凹面が等間隔で均等に設けられ、そのうちの１つの前記凹面の表面には４つの接触部が等間隔で均一に配列するように設けられ、他の２つの前記凹面の表面には絶縁層がそれぞれ設けられ、隣接する２つの前記凹面の間には弧状凸面が接続される。前記メスプラグは３つの端子台の端部が接続されて組み合わせられることにより形成され、各前記端子台の左右両側には端子挿入用スロットがそれぞれ設けられる。３つの前記端子台の内側には１組のバネ式端子がそれぞれ装設される。各１組の前記バネ式端子の数量は複数であり、隣接する２つの前記バネ式端子の間には丸形ガスケットが設けられる。各前記丸形ガスケットは前記メスプラグの外周部に装設される。３組の前記バネ式端子には共にヘッドホンケーブルが溶接され、前記ヘッドホンケーブルには少なくとも４本の導体信号コードが内設される。
【０００８】
好ましくは、各１組の前記バネ式端子は少なくとも4個設けられ、各前記バネ式端子の左右両端は各前記端子台の左右両側の前記端子挿入用スロット内にそれぞれ装入される。各前記導体信号コード内には金属材質の少なくとも３本の導線が被覆され、４本の前記導体信号コードは計１２本の前記導線を有する。前記１２本の前記導線の一端は前記メスプラグの外表面にある１２個の前記バネ式端子にランダムにそれぞれ接続され、１２本の前記導線の他端にはイヤホンが接続される。
【０００９】
好ましくは、３つの前記端子台は円形に配列され、前記端子挿入用スロットは6個設けられ、6個の前記端子挿入用スロットは直線面から見ると正三角形を呈するように設けられる。
【００１０】
好ましくは、各前記端子台の内側の中央部には挿設回転用溝部が外向きに凹設される。挿設回転用溝部はオスプラグの弧状凸面がメスプラグ内で回転中に接触するバネ式端子を圧迫し、圧迫されたバネ式端子が自身の弾力により背圧を発生させないようにし、バネ式端子が長期間背圧を発生させることで最終的に弾性疲労に繋がる事象を効果的に回避する。
【００１１】
隣接する２本の前記導体信号コード内の３本の前記金属導線は同じ材質または異なる材質で設けられ、各前記導体信号コード内の隣接する２本の金属導線は同じ材質または異なる材質で設けられる。各ヘッドホンケーブルの１２本の金属導線は製造の要求に応じて無酸素銅線、無酸素銅メッキ銀線、純銀線、エナメル銅線、単結晶銅線、単結晶銀線、古河銅線、及び金銀合金線等の材質のうちの１つまたは２つ以上の組み合わせが採用される。即ち、各導体信号コード内の３本の金属導線には同じ材質の線または異なる材質の線の組み合わせが採用されて構成される。異なる材質が採用された前記導電線及び前記混合方式で結合装設されて形成されるヘッドホンケーブルは接続されるイヤホンに多種類の異なる音響効果を流す効果を有する。この構造のイヤホンコードは音声信号の伝送速度が速く、音声信号の伝送品質が高く、音声信号の伝送効果が高い等の長所を更に有する。
【００１２】
好ましくは、前記メスプラグの後側の中央部には止め輪が設けられ、前記挿入部の端部の外周部には前記止め輪を装設させると共に前記オスプラグの回転運動中に前記メスプラグから脱離するのを防止するための第二円形溝が内向きに凹設される。
【００１３】
好ましくは、前記止め輪はＣ字形を呈するように設けられる。この形状で設けられる止め輪は第二円形溝に堅固に係合され、オスプラグが正逆方向にのみ回転運動を行うようにするのみならず、メスプラグから分離しないようにする。取り外す場合、作業者は止め輪を第二円形溝から取り外すのみで素早く取り外せるようになり、取り付けの際には、作業者がオスプラグの挿入部をメスプラグ内に挿入した後、止め輪を挿入部の端部の第二円形溝内に取り付けるのみで堅固な係合が実現する。こうして便利で高効率な着脱が実現する。
【００１４】
好ましくは、前記オスプラグの前記挿入部は前記メスプラグ内で時計回りに３６０度回転及び反時計回りに３６０度回転する。
【００１５】
好ましくは、前記オスプラグの前記挿入部は３段階に分けて回転する方式で前記メスプラグ内で１周回転し、前記オスプラグの前記挿入部の各段階の回転角度は１２０度である。
【００１６】
好ましくは、各前記バネ式端子の正面には挿設回転用溝部に接触する２つの突起部が左右対称に設けられ、各前記バネ式端子の背面には弧形構造が設けられる。オスプラグの弧状凸面がメスプラグに挿入された後に回転することで各バネ式端子の突起部が挿設回転用溝部内に挿入され、各バネ式端子の突起部が挿設回転用溝部の内壁に当接する。この設計によりオスプラグがメスプラグに挿入された後にスムーズに回転するようになるのみならず、バネ式端子が変形しなくなる。また、挿設回転用溝部の構造はオスプラグの挿入部にある凹面の構造に組み合わせられるようになっており、使用時にオスプラグの回転運動がスムーズになるのみならず、本発明の回転数は１００００回以上に達し、オスプラグの回転力は１０Ｎ／ｍ以下まで減少し、回転に必要な力を小さくし、耐用年数を延ばす目的を達成する。
【００１７】
また、上記目的を達成するために、本発明の別の態様の３段階回転バランスヘッドホンケーブルは、オスプラグと、メスプラグと、止め輪と、ヘッドホンケーブルと、を備える。前記オスプラグには挿入部、第一円形溝、凹面、４つの接触部、絶縁層、弧状凸面、及び第二円形溝が設けられる。前記メスプラグには端子台、端子挿入用スロット、バネ式端子、丸形ガスケット、及び挿設回転用溝部が設けられ、各前記ヘッドホンケーブルには４本の導体信号コードが内設される。各前記導体信号コードは同じ金属材質の少なくとも３本の導線または異なる金属材質の３本の導線が混成されて形成される。本発明は6個の端子挿入用スロットが設けられることによりメスプラグが３つの端子台に分けられ、各端子台の内側に4個のバネ式端子がそれぞれ装設される。また、各バネ式端子の左右両端は各端子台の左右両側の端子挿入用スロット内にそれぞれ係入される。メスプラグの３つの端子台に４列のバネ式端子がそれぞれ装設された後、オスプラグの挿入部がメスプラグの中央部内に装入される。オスプラグの挿入部がメスプラグの中心部を完全に貫通した後、オスプラグの挿入部の端部の外周部には止め輪を装設させるための第二円形溝が周設される。止め輪はオスプラグの末端の第二円形溝に係合され、回転するオスプラグがメスプラグから脱離するのを効果的に防止する。次に、４本の導体信号コードの１２本の導線がメスプラグの外表面上にある３組のバネ式端子にそれぞれ溶接され、即ち、１２本の導線がメスプラグの３つの端子台にある１２列のバネ式端子にそれぞれ接続される。オスプラグはメスプラグ内で各々回転運動を行う過程において、オスプラグの挿入部の３つの弧状凸面が接触する各バネ式端子を挿設回転用溝部内にそれぞれ挿入させ、各列のバネ式端子が圧迫された際に自身の弾力により背圧を発生させないようにし、バネ式端子が長期間背圧を発生させることで弾性疲労を起こさないようにし、製品の耐用年数を延ばす。使用者がオスプラグを回転させると、挿入部の４つの接触部が設けられた前記凹面がオスプラグの回転に追従して回転し、４つの接触部が設けられた凹面が各端子台にある４列のバネ式端子にそれぞれ接触させると共に導通させ、信号伝送機能を達成する。また、隣接する２本の導体信号コード内の３本の導線は同じ材質または異なる材質で設けられ、各導体信号コード内の隣接する２本の金属導線は同じ材質または異なる材質で設けられ、これにより各ヘッドホンケーブルが異なる導電係数を形成する。即ち、１２本の導線は１２個のバネ式端子にそれぞれランダムに接続される際に全て異なる信号を伝送させる。また、右チャンネルの負極性信号コード、右チャンネルの正極性信号コード、左チャンネルの負極性信号コード、及び左チャンネルの正極性信号コードで構成される４本の導体信号コードの１２本の導線の一端はメスプラグの外表面にある１２個のバネ式端子にそれぞれランダムに接続され、右チャンネルの負極性信号コード、右チャンネルの正極性信号コード、左チャンネルの負極性信号コード、及び左チャンネルの正極性信号コードで構成される４本の導体信号コードの１２本の導線の他端はイヤホンに接続される。イヤホンは左イヤホン及び右イヤホンで構成さ���る。即ち、左チャンネルの負極性信号コード（L-）の３本の導線は共に左イヤホンの負極に接続され、左チャンネルの正極性信号コード（L+）の３本の導線は共に左イヤホンの正極に接続され、右チャンネルの負極性信号コード（R-）の３本の導線は共に右イヤホンの負極に接続され、右チャンネルの正極性信号コード（R+）の３本の導線は共に右イヤホンの正極に接続される。この接続方式により装設されるヘッドホンケーブルはオスプラグが１段階回転すると（即ち、１２０度回転）、４つの接触部が設けられたオスプラグの凹面がメスプラグの任意の１つの端子台にある４列のバネ式端子に接触すると共に音響効果を伝送させる。また、オスプラグが３段階に分けて回転する設計により、オスプラグが３回それぞれ回転する際に、ヘッドホンケーブルに接続されるイヤホンには３種類の異なる音響効果が流れる。これにより、従来のイヤホンコードのオスプラグは回転不可能であり、従来の構造によるイヤホンコードでは接続されるイヤホンに１種類の音響効果しか流せないという問題を克服し、音声信号の伝送速度が速くなり、音の伝送品質も高まり、伝送される音の音質も向上する等の長所を有し、その機能が更に完全になる。
【図面の簡単な説明】
【００１８】
【図１】本発明の一実施形態に係る３段階回転バランスヘッドホンケーブルを示す分解斜視図である。
【図２】本発明の一実施形態に係る３段階回転バランスヘッドホンケーブルのオスプラグを示す斜視図である。
【図３】本発明の一実施形態に係る３段階回転バランスヘッドホンケーブルを示す正面図である。
【図４】本発明の一実施形態に係る３段階回転バランスヘッドホンケーブルを示す背面図である。
【図５】本発明の一実施形態に係る３段階回転バランスヘッドホンケーブルのメスプラグを示す正面図である。
【図６】本発明の一実施形態に係る３段階回転バランスヘッドホンケーブルのメスプラグを示す斜視図である。
【図７】本発明の一実施形態に係る３段階回転バランスヘッドホンケーブルの構成を示す概略図である。
【図８】本発明の３段階回転バランスヘッドホンケーブルの１２本の導体信号コードが３つの端子台のうちの３組のバネ式端子の同じ端子にそれぞれ溶接された概略図である。
【発明を実施するための形態】
【００１９】
以下、本発明の実施形態について、図面を参照して詳細に説明する。なお、本発明は以下の例に限定されるものではなく、本発明の趣旨を逸脱しない範囲で、任意に変更可能であることは言うまでもない。別途定義のない限り、本文で使用される全ての技術用語及び学術用語は本発明の技術分野の技術者が通常理解する意味と同じである。本文の本発明の明細書中で使用される用語は具体的な実施方式を描写するためのものにすぎず、本発明を制限するものではない。
【実施例】
【００２０】
次に、図１〜８を参照しながら、本発明をさらに詳しく説明する。まず、本発明の３段階回転バランスヘッドホンケーブルは、オスプラグ１、及びオスプラグ１に連結されるように装設されるメスプラグ２を備える。メスプラグ２に挿入される前記オスプラグ１の部分は挿入部３として設けられ、前記オスプラグ１の一側には第一円形溝１５１が内向きに凹設される。前記メスプラグ２の一端は第一円形溝１５１内に装入され、前記オスプラグ１は第一円形溝１５１によりメスプラグ２の端部で円周回転運動を行う。挿入部３の外周部には断面に弧形構造を有する３つの凹面４が等間隔で均等に設けられ、そのうちの１つの凹面４の表面には４つの接触部４１が等間隔で均一に配列するように設けられ、他の２つの凹面４の表面には絶縁層（図示せず）がそれぞれ設けられ、隣接する２つの凹面４の間には弧状凸面５が接続される。前記メスプラグ２は３つの端子台６の端部が接続されて組み合わせられることにより形成され、各端子台６の左右両側には端子挿入用スロット７がそれぞれ設けられる。３つの端子台６の内側には１組のバネ式端子８がそれぞれ装設される。各１組バネ式端子８の数量は複数である。隣接する２つのバネ式端子８の間には丸形ガスケット９が設けられる。各丸形ガスケット９はメスプラグ２の外周部に周設され、３組のバネ式端子８には共にヘッドホンケーブル１０が溶接され、前記ヘッドホンケーブル１０には少なくとも４本の導体信号コード１１が内設される。オスプラグ１の挿入部３の弧状凸面５は凹面４に隣接するように設けられる。
【００２１】
ある実施例では、各１組の前記バネ式端子８は少なくとも4個設けられ、３組の前記バネ式端子８は１２個設けられる。各バネ式端子８の左右両端は各端子台６の左右両側の端子挿入用スロット７内にそれぞれ装入される。各前記導体信号コード１１内には金属材質の少なくとも３本の導線１３が被覆され、４本の導体信号コード１１は計１２本の導線１３を有する。１２本の導線１３の一端はメスプラグ２の外表面にある１２個のバネ式端子８にそれぞれランダムに接続され、１２本の導線１３の他端はイヤホンに接続される。
【００２２】
ある実施例では、３つの前記端子台６は円形に配列され、前記端子挿入用スロット７は6個設けられる。6個の前記端子挿入用スロット７は直線面から見ると正三角形を呈するように設けられる。
【００２３】
ある実施例では、各前記端子台６の内側の中央部には、オスプラグ１の弧状凸面５がメスプラグ２内で回転中にバネ式端子８を圧迫して弾性疲労を発生させる問題を回避するための挿設回転用溝部１２が外向きに凹設される。
【００２４】
ある実施例では、隣接する２本の導体信号コード１１内の３本の導線１３は同じ材質または異なる材質で設けられ、各導体信号コード１１内の隣接する２本の金属導線１３は同じ材質または異なる材質で設けられる。
【００２５】
ある実施例では、前記メスプラグ２の後側の中央部に止め輪１４が設けられる。前記挿入部３の端部の外周部には止め輪１４を装設させると共にオスプラグ１が回転運動中にメスプラグ２から脱離するのを防止するための第二円形溝１５が内向きに凹設される。
【００２６】
ある実施例では、前記止め輪１４はＣ字形に設けられる。
【００２７】
ある実施例では、前記オスプラグ１の挿入部３はメスプラグ２内で時計回りに３６０度回転及び反時計回りに３６０度回転を行う。
【００２８】
ある実施例では、前記オスプラグ１の挿入部３は３段階に分けて回転する方式でメスプラグ２内で３６０度回転を行い、前記オスプラグ１の挿入部３の各段階の回転角度は１２０度である。
【００２９】
ある実施例では、各前記バネ式端子８の正面には挿設回転用溝部１２に接触する２つの突起部（図示せず）が左右対称に設けられ、各前記バネ式端子８の背面には弧形構造が設けられる。
【００３０】
ある実施例では、イヤホンは一般的に左イヤホン及び右イヤホンで構成される。図７に示されるように、４本の導体信号コード１１は右チャンネルの負極性信号コード、右チャンネルの正極性信号コード、左チャンネルの負極性信号コード、及び左チャンネルの正極性信号コードで構成される。Ｒ-は右チャンネルの負極性信号コードを示し、Ｒ＋は右チャンネルの正極性信号コードを示し、Ｌ-は左チャンネルの負極性信号コードを示し、Ｌ＋は左チャンネルの正極性信号コードを示す。４本の導体信号コード１１が左イヤホン及び右イヤホンにそれぞれ接続される方式は、左チャンネルの負極性信号コード（L-）の３本の導線１３が共に左イヤホンの負極に接続され、左チャンネルの正極性信号コード（L+）の３本の導線１３が共に左イヤホンの正極に接続され、右チャンネルの負極性信号コード（R-）の３本の導線１３が共に右イヤホンの負極に接続され、右チャンネルの正極性信号コード（R+）の３本の導線１３が共に右イヤホンの正極に接続される。
【００３１】
ある実施例では、前記３段階回転バランスヘッドホンケーブルの構造設計原理及び操作原理は、６個の端子挿入用スロット７が設けられることによりメスプラグ２が３つの端子台６に分けられ、且つ各端子台６の内側には4個のバネ式端子８がそれぞれ装設され、各バネ式端子８の左右両端が各端子台６の左右両側の端子挿入用スロット７内にそれぞれ係入される。メスプラグ２の３つの端子台６に４列のバネ式端子８がそれぞれ装設された後、オスプラグ１の挿入部３がメスプラグ２の中央部内に装入される、というものである。オスプラグ１の挿入部３がメスプラグ２の中心部を完全に貫通した後、オスプラグ１の挿入部３の端部の外周部には止め輪１４を装設させるための第二円形溝１５が周設され、止め輪１４はオスプラグ１の末端の第二円形溝１５に係合され、回転するオスプラグ１がメスプラグ２から脱離するのを効果的に防止する。次いで、４本の導体信号コード１１の１２本の導線１３がメスプラグ２の外表面にある３組のバネ式端子８にそれぞれ溶接される。即ち、１２本の導線１３がメスプラグ２の３つの端子台６にある１２列のバネ式端子８にそれぞれ接続される。オスプラグ１はメスプラグ２内で各々回転運動を行う過程において、オスプラグ１の挿入部３にある３つの弧状凸面５が接触する各バネ式端子８を挿設回転用溝部１２内にそれぞれ挿入させ、各列バネ式端子８が圧迫を受けた際に自身の弾力により背圧を発生させないようにし、バネ式端子８が長期間背圧を発生させることで弾性疲労を起こさないようにする。使用者がオスプラグ１を回転させると、４つの接触部４１が設けられた挿入部３の凹面４がオスプラグ１の回転に追従して回転し、４つの接触部４１が設けられる凹面４が各端子台６にある４列のバネ式端子８にそれぞれ接触させると共に導通させ、信号伝送機能を実現させる。また、隣接する２本の導体信号コード１１内の３本の導線１３が同じ材質または異なる材質で設けられ、各導体信号コード１１内の隣接する２本の金属導線１３が同じ材質または異なる材質で設けられることにより、１２本の導線１３が異なる導電係数を形成する。即ち、１２本の導線１３が１２個のバネ式端子８にそれぞれランダム接続される際に全て異なる信号を伝送させる。なお、右チャンネルの負極性信号コード（R-）、右チャンネルの正極性信号コード（R+）、左チャンネルの負極性信号コード（L-）、及び左チャンネルの正極性信号コード（L+）で構成される４本の導体信号コード１１は計１２本の導線１３の一端がメスプラグ２の外表面にある１２個のバネ式端子８にそれぞれランダム接続され、右チャンネルの負極性信号コード（R-）、右チャンネルの正極性信号コード（R+）、左チャンネルの負極性信号コード（L-）、及び左チャンネルの正極性信号コード（L+）で構成される４本の導体信号コード１１の計１２本の導線１３の他端はイヤホンに接続される。イヤホンは左イヤホン及び右イヤホンで構成される。即ち、左チャンネルの負極性信号コード（L-）の３本の導線１３は共に左イヤホンの負極に接続され、左チャンネルの正極性信号コード（L+）の３本の導線１３は共に左イヤホンの正極に接続され、右チャンネルの負極性信号コード（R-）の３本の導線１３は共に右イヤホンの負極に接���され、右チャンネルの正極性信号コード（R+）の３本の導線１３は共に右イヤホンの正極に接続される。前記材質及び接続方式により装設されるヘッドホンケーブル１０はオスプラグ１が１段階回転すると（即ち、１２０度回転）、４つの接触部４１が設けられたオスプラグ１の凹面４がメスプラグ２の任意の１つの端子台６にある４列のバネ式端子８に接触させると共に音響効果を伝送させる。また、オスプラグ１はメスプラグ２内で３段階に分けて回転する設計であるため、ヘッドホンケーブル１０に接続されるイヤホンには３種類の異なる音響効果が流れる。従来の構造によるイヤホンコードのオスプラグ１は回転不可能であり、イヤホンコードに接続されるイヤホンには１種類の音響効果しか流せないという限界を突破するのみならず、音声信号の伝送速度が速く、伝送品質が向上し、伝送効果が高まる等の長所を有し、その機能が更に完全になる。
【００３２】
また、本発明の３段階回転バランスヘッドホンケーブルは、オスプラグと、メスプラグと、止め輪と、ヘッドホンケーブルと、を備える。前記オスプラグには挿入部、第一円形溝、凹面、４つの接触部、絶縁層、弧状凸面、及び第二円形溝が設けられる。前記メスプラグには端子台、端子挿入用スロット、バネ式端子、丸形ガスケット、及び挿設回転用溝部が設けられ、各前記ヘッドホンケーブルには４本の導体信号コードが内設される。各前記導体信号コードは同じ金属材質の少なくとも３本の導線または異なる金属材質の３本の導線が混成されて形成される。本発明のオスプラグの挿入部はメスプラグ内で３段階に分けて回転する。オスプラグが１段階回転すると、ヘッドホンケーブルに接続されるイヤホンには音響効果が流れ、オスプラグが３段階それぞれ回転すると、イヤホンには３種類の異なる音響効果がそれぞれ流れる。この構造に接続されるイヤホンは、音声信号の伝送速度が速く、音質がクリアで、流れる音の音質が高いという長所を有する。また、オスプラグは止め輪によりメスプラグに簡単に着脱可能になり、専用の工具を用いなくても着脱可能になり、取り付け効率が高まり、素早く取り付けられる等の長所を有するほか、取り付け作業者の取り付けにかかる手間も減る。従来のイヤホンコードのオスプラグ及びメスプラグは一体成形される構造設計であるため、用途が限られ、オスプラグが回転不可能であり、音声信号の伝送速度が遅く、音質が低く、音質効果が低い等の問題を解決するのみならず、従来の構造によるイヤホンコードでは接続されるイヤホンに対して１種類の音響効果しか流せないという問題も更に解決する。
【００３３】
上述の実施形態は本発明の技術思想及び特徴を説明するためのものにすぎず、当業者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３４】
１      オスプラグ
２      メスプラグ
３      挿入部
４      凹面
５      弧状凸面
６      端子台
７      端子挿入用スロット
８      バネ式端子
９      丸形ガスケット
１０    ヘッドホンケーブル
１１    導体信号コード
１２    挿設回転用溝部
１３    金属材料導線
１４    止め輪
１５    第二円形溝
１５１  第一円形溝
４１    接触部
Ｒ−    右チャンネルの負極性信号コード
Ｒ＋    右チャンネルの正極性信号コード
Ｌ−    左チャンネルの負極性信号コード
Ｌ＋    左チャンネルの正極性信号コード
【図１】
2020031417.tif 000003
【図２】
2020031417.tif 000004
【図３】
2020031417.tif 000005
【図４】
2020031417.tif 000006
【図５】
2020031417.tif 000007
【図６】
2020031417.tif 000008
【図７】
2020031417.tif 000009
【図８】
2020031417.tif 000010